(57)【要約】      （修正有）【課題】「銘入れ」や「名入れ」において、より消費者にアピールできる形での表示をすることができ、低電力で、使用者の意思により、面状の表示部を発光させたり、表示の切り替えが可能な筆記具又は塗布具を提供する。【解決手段】発光体として、略平面状の構造と高い柔軟性を持つ、有機ＥＬ（エレクトロルミネッセンス）、無機ＥＬ、平面上に配置された発光ダイオード、反射型の表示部としては、反射型液晶や半透過型液晶等の液晶表示、デジタルミラーマイクロデバイス、電気泳動表示、ツイストボール表示、記憶型液晶表示、粉体移動表示、エレクトロクロミー表示、フォトクロミー表示、磁気泳動表示等を用い、軸筒内外に電源、昇圧回路、スイッチを設けることにより、軸筒表面の文字あるいは図形を発光あるいは変化させることが出来る。【選択図】図４
2005349825.tif 000002
【特許請求の範囲】
【請求項１】
外部から視認可能な部分に表示部を有する筆記具又は塗布具において、該表示部が面状であることを特徴とする筆記具又は塗布具。
【請求項２】
上記表示部が、自発光型の表示部であることを特徴とする請求項１に記載の筆記具又は塗布具。
【請求項３】
上記表示部が、反射型の表示部であることを特徴とする請求項１に記載の筆記具又は塗布具。
【請求項４】
上記表示部が、書き換え可能な表示部であることを特徴とする請求項１乃至３のいずれか一つに記載の筆記具又は塗布具。
【請求項５】
上記表示部が、一定の表示のみ可能な表示部であることを特徴とする請求項１乃至３のいずれか一つに記載の筆記具又は塗布具。
【請求項６】
少なくとも情報記憶部、外部入力部、又は、外部への出力部の少なくともいずれか一つを有することを特徴とする請求項１乃至５のいずれか一つに記載の筆記具又は塗布具。
【発明の詳細な説明】
【技術分野】
【０００１】
本発明は、筆記具又は塗布具に関し、さらに詳しくは、外部から視認可能な部分に表示部を有する筆記具又は塗布具であって、該表示部が面状であることを特徴とする筆記具又は塗布具に関する。ここで言う塗布具とは、水、溶剤、液状化粧料、修正液、塗料、インキ、液状薬剤、接着剤、液状糊、コーティング剤などの液体を簡便に塗布するための器具を言う。
【背景技術】
【０００２】
筆記具又は塗布具の表面の表示については、従来から商標、商品名、商品の特徴や希望小売価格、メーカー名、バーコードなどの表示のほか、いわゆる「銘入れ」や「名入れ」と称される、広告主や配布元などの企図する文字や図柄を印刷した表示が付されて、取引されてきている。
これらの表示は、商品の出所を表示したり、品質を保証するだけでなく、時として消費者の購買意欲をかき立てるものであり、商品の売れ行きを左右する非常に重要な要素の一つとなっている。また、いわゆる「銘入れ」や「名入れ」においては、広告主や配布元などの宣伝に用いられる特性上、より消費者にアピールできる形での表示が求められるものである。
【０００３】
しかしながら、従来の、多くの筆記具又は塗布具においては、表面に印刷された文字や図柄のデザイン、あるいはそれらと形状の組み合わせのように、ある一定の表示または形状との組み合わせをもって上記のような要求に応えてきており、今まで以上に、購買意欲をさらに高め、消費者に強くアピールすることのできる表示等が求められてきている。
【０００４】
上記のような目的を達成する試みとして、筆記具又は塗布具の一部に発光体や表示部を備えたものについて、これまでにも数多く提案されてきている。
例えば、筆記具の一部に発光素子を備え、暗闇などでの筆記を可能にした筆記具が提案されている（例えば、特許文献１乃至５参照）。しかしながら、これらにおいては電球あるいは発光ダイオードなどの発光部を設けることが記載されているが、面状の発光表示部を設けることについては記載されておらず、また、筆記具の表面の表示、図柄あるいは筆記具そのものを際だたせる方法等についても、言及されていない。
【０００５】
また、外部の遠隔地からの信号に反応して発光する筆記具が提案されている（例えば、特許文献６又は７参照）。これらにおいても、面状の発光体を設けることについては記載されておらず、表面の表示、図柄あるいは筆記具そのものを際だたせる方法等についても言及されていない。
【０００６】
一方で、筆記具及び筆記具状の物体の表面に、何らかの表示装置を設けることが提案されている（特許文献８乃至１２）。これらには、表示部を設けることが提案されているが、表示部を設けることで終始しており、表示部自体を発光させたり、表示を切り替えたりすることなどについては言及されていない。
【０００７】
さらに、蓄光性蛍光体を筆記具に応用することが可能である旨示唆する記載が開示されているが（例えば、特許文献１３参照）、表示部自体を発光させたり、表示を切り替えたりすることなどについては示唆していない。
【特許文献１】特開平８−１２７１９５
【特許文献２】実用新案登録３０２１５２５
【特許文献３】特開２００１−４０９２２
【特許文献４】特開２００４−６３１８
【特許文献５】特開平１１−５９０６２
【特許文献６】実用新案登録３０５３１９７
【特許文献７】実用新案登録３０８２２３９
【特許文献８】実開平６−６２６５７
【特許文献９】実用新案登録３０００６１７
【特許文献１０】特開平９−２４６９６
【特許文献１１】特開２０００−１５５８２９
【特許文献１２】特開２０００−１９０６８１
【特許文献１３】特開平７−１１２５０
【発明の開示】
【発明が解決しようとする課題】
【０００８】
本発明は、上記従来技術の課題及び現状等に鑑み、これを解消しようとするものであり、商品の出所を表示し、品質を保証するだけでなく、時として消費者の購買意欲をかき立て、また、いわゆる「銘入れ」や「名入れ」において、より消費者にアピールできる形での表示をすることができる筆記具又は塗布具を提供することを目的とするものである。さらには、低電力で、使用者の意思により、面状の表示部を発光させたり、表示の切り替えが可能な筆記具又は塗布具を提供することを目的とするものである。
【課題を解決するための手段】
【０００９】
本発明者等は、上記従来の課題等を解決するために、鋭意検討した結果、筆記具又は塗布具の外部から視認可能な部分に面状の表示部を設けることにより、上記目的の筆記具又は塗布具が得られることを見出し、本発明を完成するに至ったのである。
【００１０】
すなわち、本発明は、次の（１）〜（６）に存する。
（１）  外部から視認可能な部分に表示部を有する筆記具又は塗布具において、該表示部が面状であることを特徴とする筆記具又は塗布具。
（２）  上記表示部が、自発光型の表示部であることを特徴とする（１）に記載の筆記具又は塗布具。
（３）  上記表示部が、反射型の表示部であることを特徴とする（１）に記載の筆記具又は塗布具。
（４）  上記表示部が、書き換え可能な表示部であることを特徴とする（１）〜（３）のいずれか一つに記載の筆記具又は塗布具。
（５）  上記表示部が、一定の表示のみ可能な表示部であることを特徴とする（１）〜（３）のいずれか一つに記載の筆記具又は塗布具。
（６）  少なくとも情報記憶部、外部入力部、又は、前記表示部以外の外部への出力部を少なくとも一つ有することを特徴とする（１）〜（５）のいずれか一つに記載の筆記具又は塗布具。
【発明の効果】
【００１１】
本発明によれば、次の（１）〜（６）の効果を有することになる。
（１）  外部から視認可能な部分に表示部を有する筆記具又は塗布具において、該表示部が面状であることを特徴とする筆記具又は塗布具とすることにより、表示部の面積を広く取ることが可能となり消費者等の看者へ強いアピール力を有することができる。
（２）  上記表示部が、自発光型の表示部であることを特徴とする（１）に記載の筆記具又は塗布具とすることにより、面全体で発光させたり、表示の文字や図形を発光させることが可能となり消費者等の看者へ強いアピール力を有することができる。
（３）  上記表示部が、反射型の表示部であることを特徴とする（１）に記載の筆記具又は塗布具とすることにより、消費電力を少なくすることや、目に優しいやわらかな表示をすることが可能となり、自発光とは異なる自然でマイルドな表示や、自然でやわらかなブランドイメージを持つ商品において、よりそのイメージを強めることができるようになる。
（４）  上記表示部が、書き換え可能な表示部であることを特徴とする（１）〜（３）のいずれか一つに記載の筆記具又は塗布具とすることにより、決められた情報を表示するだけでなく、任意の情報を表示することが可能になり、商標、出所表示、スローガン、品質、文字、図柄、模様などのように自由な表示を消費者等の看者へ提供することができ、より強いアピール力を有することができるようになる。
（５）  上記表示部が、一定の表示のみ可能な表示部であることを特徴とする（１）〜（３）のいずれか一つに記載の筆記具又は塗布具とすることにより、一定の定められた情報を繰り返し表示することにより、消費者等の看者へ強いアピール力を有することができる。
（６）  少なくとも情報記憶部（メモリ）、外部入力部、又は、外部への出力部の少なくとも一つを有することを特徴とする（１）〜（５）のいずれか一つに記載の筆記具又は塗布具とすることにより、以下のような効果を有することになる。
情報記憶部（メモリ）を有する場合には、表示させたい商標、出所表示、スローガン、品質、文字、図柄、模様などをあらかじめ記憶させておき、その中から表示させることが可能となり、自由な表示を消費者等の看者へ提供することができ、より強いアピール力を有することができるようになる。さらに、情報記憶部（メモリ）に商品情報等をあらかじめ記憶させておくことにより、表示に用いられる情報とともに、商品管理等を行うことが可能となり、消費者への強いアピールにとどまることなく、幅広く活用可能な筆記具又は塗布具とすることができる。
外部入力部を有する場合には、情報記憶部（メモリ）を有していない場合であっても、外部入力部を通して表示させたい内容を表示させることが可能になり、自由な表示を消費者等の看者へ提供することができ、より強いアピール力を有することができるようになる。また、あわせて情報記憶部（メモリ）を有している場合には、外部入力部を通して表示させたい商標、出所表示、スローガン、品質、文字、図柄、模様などの情報を情報記憶部（メモリ）に記憶させることが可能となり、自由な表示と情報の自由な書き換えも可能となり、消費者等の看者へのより強いアピール力を有することができるようになる。さらに、外部入力部を通して表示させたい商標、出所表示、スローガン、品質、文字、図柄、模様などの情報を情報記憶部（メモリ）に記憶させるだけでなく、外部入力部を通して情報記憶部（メモリ）に自由な情報を書き込んだりすることも可能になり、表示に用いられる情報の書き換えとともに、商品管理、個人情報管理、セキュリティ管理、いわゆる電子マネーのチャージ等を行うことが可能となり、消費者への強いアピールにとどまることなく、幅広く活用可能な筆記具又は塗布具とすることができる。
外部への出力部を有する場合には、さらに、情報記憶部（メモリ）に記憶された情報を外部への出力部を通して引き出したりすることが可能となり、商品管理、個人情報管理、セキュリティ管理、いわゆる電子マネーのチャージ等を効果的に行うことが可能となり、消費者への強いアピールにとどまることなく、幅広く活用可能な筆記具又は塗布具とすることができる。
【発明を実施するための最良の形態】
【００１２】
以下に、本発明の実施形態を詳しく説明する。
本発明の筆記具又は塗布具は、外部から視認可能な部分に面状の表示部を有することを特徴とするものである。
【００１３】
本発明において、外部から視認可能な部分とは、筆記具又は塗布具の軸筒、グリップ（把持部）、クリップ、キャップ（蓋）、先端部、後端部、先軸部材、ノック部などに限られず、静置時、収納時、使用時などを問わず外部から視認できる部分であればよく、さらに、軸筒等が透明である場合には、外部から視認可能である以上、それらの内側であっても良い。
また、外部から視認可能な部分は、筆記具又は塗布具の１カ所の部分だけでなく、２カ所以上の部分にあってもよく、さらに、一部分だけでなく、全体に渡っている部分であっても良い。
【００１４】
本発明において、面状の表示部とは、点や線といった０次元、１次元のものではなく、面として認識できる程度の２次元の範囲を持った表示部を指すものであり、筆記具又は塗布具上において面として認識できるすべてのものが含まれる。
また、ある種の間隔を持って点や線といった０次元、１次元のものが連続して配置されている場合であっても、筆記具又は塗布具上において全体として見れば面として認識できる場合も含まれる。よりインパクトのある表示を目指す上では、表示部の面積は２５ｍｍ２以上の範囲を持つことが好ましく、さらに好ましくは、１ｃｍ２以上の範囲を持つことが好ましい。
さらに、面状の表示部は、面状である限りどのように形成されていてもよく、たとえば、軸筒、グリップ（把持部）、クリップ、キャップ（蓋）、先端部、後端部、先軸部材、ノック部などの湾曲や立体形状に沿うように形成されていても、２つの面に渡っており曲がって形成されていてもよい。
【００１５】
面状の表示部は、筆記具又は塗布具の視認可能な部分に形成されてさえいれば、その形成方法は限定されず、たとえば、柔軟性が高い可撓性の素材からなる表示部を軸筒周囲に巻き付けて固定する方法、透明円筒状の軸筒内部に丸めて差し込む方法、凹部にはめ込み、上から透明部材をはめ込んで固定する方法や、表示部をインサート成形により形成する方法など挙げられるが、これらに限定されるものではない。
また、面状の表示部は、概表示部を持たない従来の筆記具又は塗布具の大きさ、軸筒の太さ、厚み、長さなどと同程度になるように形成することが望ましいため、薄型で可撓性の素材からなる表示部が好ましい。
【００１６】
本発明において、自発光型の表示部としては、表示部が外部からの光を受けることなく発光することが可能な表示部であれば特に限定されることなく使用することができる。たとえば、有機ＥＬ（エレクトロクロミック）、無機ＥＬ、フィールドエミッション、発光ダイオード、蛍光表示管等からなる表示部を挙げることができる。これらは、１種類で用いることはもちろん、２種類以上組み合わせて用いることもできる。
特に、薄型で可撓性を有する表示媒体である、有機ＥＬや無機ＥＬを用いることが好ましい。
【００１７】
本発明において、反射型の表示部としては、反射型液晶や半透過型液晶等の液晶表示、デジタルミラーマイクロデバイス、電気泳動表示、ツイストボール表示、記憶型液晶表示、粉体移動表示、エレクトロクロミー表示、フォトクロミー表示、磁気泳動表示等からなる表示部を挙げることができる。これらは、１種類で用いることはもちろん、２種類以上組み合わせて用いることもできる。
特に、薄型で可撓性を有する表示媒体である、反射型液晶や半透過型液晶等の液晶表示、電気泳動表示、記憶型液晶表示、エレクトロクロミー表示を用いることが好ましい。さらに、表示記憶性を有し低消費電力な、電気泳動表示、記憶型液晶表示、エレクトロクロミー表示が特に好ましい。
本発明における表示部は、自発光型の表示部だけの場合、反射型の表示部だけの場合に限られず、自発光型と反射型の両方の表示部を適宜組み合わせて用いることもできる。
【００１８】
本発明において、書き換え可能な表示部としては、上記表示部の表示を、液晶等の分野で通常用いられているようなセグメント方式の駆動、パッシブマトリクス駆動やアクティブマトリクス駆動可能な基盤構成とし、駆動を制御することにより達成することができる。コスト面ではセグメント方式の駆動やパッシブマトリクス駆動が好ましいが、精細かつ動きのある表示を目指す場合にはアクティブマトリクス駆動が好ましい。
【００１９】
本発明において、一定の表示のみ可能な表示部としては、四角形や円形など特定の形状の表示部が全体として発光したり、点滅したりするような構成、そのような全体として発光等する表示部の上に文字や図柄に切り抜いたマスクを被せることで、一定の表示のみ表示するような構成や、
一定の表示のみ可能なように電極を構成することで表示する構成などを挙げることができる。
本発明における表示部は、書き換え可能な表示部だけの場合、一定の表示のみ可能な表示部だけの場合に限られず、書き換え可能と一定の表示のみ可能の両方の表示部を適宜組み合わせて用いることもできるし、それらと自発光型、反射型の表示部を適宜組み合わせて用いることもできる。
【００２０】
本発明においては、上記したような表示部を設けた時、表示部に表示をさせる、表示を消す又は表示を変更させる、あるいは、発光表示部であれば表示部を発光させる、消灯させる又は発光色を変更させる、といった動作を実行させるタイミングとしては、（１）クリップが存在する筆記具又は塗布具において、クリップ使用時に（服のポケットなどに入れるなどした場合）、（２）ノック機構が存在する筆記具又は塗布具において、ノック動作時、（３）上記筆記具又は塗布具の軸筒把持部を使用者が把持した時、（４）上記筆記具又は塗布具の先端筆記部又は塗布部に押圧力が掛かった時、（５）電波や赤外線などによる遠隔操作時、（６）有線による操作時などの場面が考えられるが、これらに限定されるものではない。
【００２１】
本発明において、情報記憶部（メモリ）としては、従来より電子機器の分野で用いられている情報記憶媒体を用いることができるが、筆記具又は塗布具に設置可能な小型のサイズのものが好ましい。さらに好ましくは、ＲＦＩＤのような小型の情報記憶媒体を挙げることができる。このような情報記憶媒体に、適宜プログラミングなどを記憶させておけば、上記表示部に表示、表示の消去又は定期的に表示を変更させる、あるいは、発光表示部にあっては点灯、消灯又は点滅させることが容易となる。
【００２２】
本発明において、外部入力部としては、従来より電子機器の分野で用いられている外部入力装置を用いることができるが、筆記具又は塗布具に設置可能な小型のサイズのものが好ましい。たとえば、ＵＳＢ等の有線による外部入力部や、アンテナ、赤外線、電波等の無線による外部入力部のいずれも用いることができる。このような外部入力部を設けておけば、上記した遠隔操作による表示又は発光が容易に出来ることとなる。
【００２３】
図１は本発明の表示部に係る回路の構成例１である。電源１０１、外部入力装置１０２、処理装置１０３、情報記憶部（メモリ）１０４、および、表示部１０５よりなる。この構成例によれば、外部からの操作又は命令によって、表示部に所定の表示を行うことが可能となるものである。外部からの操作や命令は情報記憶部（メモリ）１０４に蓄えることが可能で、更なる操作によって再現させることは容易である。
また、この構成例では、外部入力装置１０２のみを、あるいは、外部入力装置１０２及び処理装置１０３のユニットをまとめたものを、単純なスイッチに置き換えることが出来、更に、情報記憶部（メモリ）を省略することも出来る。更には、電源１０１は筆記具の本体の外部に求めても良く、表示させたい時のみ電源１０１に接続して良いものである。
【００２４】
図２は本発明の表示部に係る回路の構成例２である。電源２０１、外部入力装置２０２、処理装置２０３、情報記憶部（メモリ）２０４、および、表示部２０５よりなり、更に、表示部制御装置２０６を有することが上記構成例１と異なる。この構成例によれば、外部からの操作又は命令によって、表示部に所定の表示を行うことが可能であり、かつ、表示部制御装置２０６によって書き換え可能な表示部２０５において、複雑な表示を行わせることが可能となるものである。
この構成例では、情報記憶部（メモリ）２０４に蓄えられている情報のみを表示部で表示させる場合には、外部入力装置２０２を単純なスイッチに置き換えることも出来る。また、電源２０１は筆記具の本体の外部に求めても良く、書き換え時のみ電源２０１に接続して良いものである。更には、図２に示す通り、処理装置２０３及び情報記憶部（メモリ）２０４を一体としたＲＦＩＤ２０７とすることが出来る。
【００２５】
図３は本発明の表示部に係る回路の構成例３である。電源３０１、外部入力装置３０２、処理装置３０３、情報記憶部（メモリ）３０４、および、表示部３０５よりなり、更に、表示部以外の外部への出力部３０８を有することが上記構成例１乃至２の何れとも異なる。この構成例によれば、上記構成例１乃至２における作用効果に加え、情報記憶部（メモリ）３０４に蓄えられた情報を外部へ発信させることが可能である。
この構成例において、情報記憶部（メモリ）３０４に蓄えられている情報のみを表示部で表示させるか、または、出力部３０８から出力させる場合には、外部入力装置３０２を単純なスイッチに置き換えることも出来る。また、電源３０１は筆記具の本体の外部に求めても良く、書き換え時のみ電源３０１に接続して良いものである。更には、図３に示す通り、処理装置３０３及び情報記憶部（メモリ）３０４を一体としたＲＦＩＤ３０７とすることが出来る。
【００２６】
（第１の実施形態）
第１の実施例の筆記具の概略を図４に示した。図示した通り、本発明の筆記具あるいは塗布具は、通常の筆記具あるいは、塗布具と同様に、筆記に使用するためのチップ４０１を備えている。このチップは繊維束芯を備えたマーカー様のもの、筆記用ボールを備えたボールペンチップ様のもの、筆状の筆記部を備えた筆ペン様のもの、あるいは、棒状の塗布部を備えた修正液塗布具様のもの等、目的に応じて適宜選択することが可能である。このチップ４０１にインキを供給するためのインキ貯蔵部４０２は繊維束体あるいは樹脂などで成形されたインキ貯蔵槽等を目的に応じて適宜選択され、軸筒４０３に収容される。軸筒４０３は樹脂、金属等必要に応じ適宜選択することが出来る。この軸筒４０３の上から平面状の発光体４０４に印刷を施したものを巻きつけ、導線４０５によって発光体を発光させるための電圧を与えるための回路４０６、電源４０７、スイッチ４０８と接続されている。平面状の発光体４０４としては有機ＥＬ、無機ＥＬ、平面状に配置された発光ダイオード等が挙げられ、目的に応じて適宜選択することが可能である。発光体４０４はスイッチ４０８によって点灯又は点滅させることが可能である。回路４０６及び電源４０７は筆記具あるいは塗布具の軸筒内部に収容することができ、あるいは、これらの回路４０６及び電源４０７を取り出し可能な構造とすることも可能である。本実施例の筆記具は使用者がスイッチを入れたときに表示体表面に描かれた文字や図柄を際立たせることが可能である。
【００２７】
（第２の実施形態）
第２の実施例の筆記具の概略を図５および図６に示した。図示した通り、第２の実施例はノック部を持つ筆記部に表示部を設けた例である。第1の実施例と同様に、筆記に使用するためのチップ５０１を備えており、このチップ５０１にインキを供給するためのインキ貯蔵槽５０２、軸筒５０３を更に備えている。チップ５０１及びインキ貯蔵槽５０２と軸筒５０３との間にばね５０５が設けられており、後端ノック部５１０のノック動作によってとチップ５０１及びインキ貯蔵槽５０２が、軸筒５０３から出没可能となっている。軸筒５０３内部には略平面状の表示部５０４を配置してある。自発光型の表示部として、有機ＥＬ（エレクトロクロミック）、無機ＥＬ、フィールドエミッション、発光ダイオード、蛍光表示管等からなる表示部を組み入れることができ、反射型の表示部としては、反射型液晶や半透過型液晶等の液晶表示、デジタルミラーマイクロデバイス、電気泳動表示、ツイストボール表示、記憶型液晶表示、粉体移動表示、エレクトロクロミー表示、フォトクロミー表示、磁気泳動表示等からなる表示部を組み入れることができる。この後端ノック部とチップ５０１及びインキ貯蔵槽５０２のとの間にスイッチ５０８を組み込み、ノックすることでＯＮ、ＯＦＦされる。回路５０６にはメモリ（図示せず）が内蔵され、表示するデータが予め、または、アンテナ５０９により外部から受信されたデータが保存されている。スイッチ５０８がＯＮに成ることにより、表示部５０４に対してメモリに内蔵されたデータを変換後信号と及び駆動電圧を送り、この信号及び駆動電圧により表示部５０４が適宜表示変化する。回路５０６及び電源５０７は筆記具あるいは塗布具の軸筒内部に収容することができ、あるいは、これらの回路５０６及び電源５０７を取り出し可能な構造とすることも可能である。さらにスイッチ５０８がＯＮになることで、メモリ内のデータをアンテナ５０９を通して外部に送信することも可能である。図５はノック動作を行わず、スイッチ５０８がＯＦＦである状態。図６はノック動作によりスイッチ５０８がＯＮである状態を示している。本実施例の筆記具は使用者がペン先を繰り出すことでスイッチが入り、この際メモリに予め、または、アンテナ５０９により外部から受信された、記憶されているデータを表示することが可能である。この場合信号は、音波、可視光を含む電磁波、固体または液体を伝わる振動など特に限定されず、信号受信部も受信される信号により適宜取捨選択出来る。本実施例の筆記具又は塗布具では、離れた場所にいる操作者が、使用者の意思と関係なく、スイッチを入れた時に軸筒表面などに表示される文字や図柄を操作することが可能である。
【００２８】
（第３の実施形態）
第３の実施例の筆記具の概略を図７および図８に示した。第２の実施例と同様に筆記に使用するためのチップ６０１及びインキ貯蔵槽６０２と軸筒６０３を更に備えている。チップ６０１及びインキ貯蔵槽６０２と軸筒６０３との間にばね６０５が設けられており、後端ノック部のノック動作によってとチップ６０１及びインキ貯蔵槽６０２が、軸筒６０３から出没可能となっている。この軸筒６０３の内部に沿わせるように平面状の発光体表示部６０４が組み込まれている。後端ノック部とチップ６０１及びインキ貯蔵槽６０２のとの間にスイッチ６０８を組み込み、ノックすることでスイッチ６０８のＯＮ、ＯＦＦを切り替え、表示部の発光及び表示を制御する。図７はノック動作を行わず、スイッチ６０８がＯＦＦである状態。図８はノック動作によりスイッチ６０８がＯＮである状態を示している。本実施例の筆記具は使用者がペン先を繰り出すことでスイッチが入り、表示することが可能である。
【００２９】
（第４の実施形態）
第４の実施例の筆記具の概略を図９および図１０に示した。第１の実施例と同様に筆記に使用するためのチップ７０１及びインキ貯蔵槽７０２と軸筒７０３を更に備えている。この軸筒７０３の内部に平面状の発光体７０４が組み込まれ、導線７０５によって発光体を発光させるための駆動電圧を与えるための回路７０６、電源７０７、スイッチ７０８と接続されている。本実施例では軸筒７０３の表面に印刷などの表示が施されており、スイッチ７０８を入れることで、軸筒内部からの発光により、軸筒７０３表面の常時を際立たせることが可能である。図９はスイッチ７０８を接続していない状態、図１０はスイッチ７０８を接続した状態を示している。
【００３０】
（第５の実施形態）
第５の実施例の筆記具の概略を図１１および図１２に示した。図示した通り、第５の実施例はクリップを持つ筆記具に発光体を設けた例である。スイッチ８０８を筆記部のクリップに組み込むことのよってクリップ使用時に発光体の点灯又は点滅を可能しにしたものである。この筆記具のクリップを衣類などのポケット、あるいは、ノートなどにはさむことにより、スイッチ８０８が接続され、軸筒内部から発光体を発光させる構造となっているが、発光体をクリップ表面又は、内部に組み込むことも可能で、衣類などのポケットに指した場合、より顕著な広告効果を得られるものである。図１１はほかの実施例と同じくクリップを使用していない状態。図１２はクリップを使用しスイッチ８０８が接続された状態である。
【００３１】
このように、本発明の筆記具は、商品の出所を表示し、品質を保証するだけでなく、時として消費者の購買意欲をかき立て、また、いわゆる「銘入れ」や「名入れ」において、より消費者にアピールできる形での表示をすることができる筆記具又は塗布具を提供出来るものである。また、低電力で、使用者の意思により、面状の表示部を発光させたり、表示の切り替えさせたり、が可能な筆記具又は塗布具とすることが出来る。
【図面の簡単な説明】
【００３２】
【図１】本発明の回路の第一構成例を示す回路図である。
【図２】本発明の回路の第二構成例を示す回路図である。
【図３】本発明の回路の第三構成例を示す回路図である。
【図４】本発明の第一の実施例を示す、筆記具の断面概要図である。
【図５】本発明の第二の実施例を示す、略平板状の表示部、外部入力装置及び情報記憶部（メモリ）を持ち、ノック動作により表示部の表示を変更できる筆記具の斜視概要図である。
【図６】本発明の第二の実施例を示す、略平板状の表示部、外部入力装置及び情報記憶部（メモリ）を持ち、ノック動作により表示部の表示を変更できる筆記具の斜視概要図であり、ノック動作を行い、スイッチを入れた状態を示す。
【図７】本発明の第三の実施例を示す、略平板状の発光体表示部と情報記憶部（メモリ）を持ち、ノック動作により表示部の変更が可能な筆記具の斜視概要図である。
【図８】本発明の第三の実施例を示す、略平板状の発光体表示部と情報記憶部（メモリ）を持ち、ノック動作により表示部の変更が可能な筆記具の斜視概要図であり、ノック動作を行い、スイッチを入れた状態を示す。
【図９】本発明の第四の実施例を示す、平板状の発光部が組み込まれ、スイッチを入れることによって軸筒表面の表示を際立たせることが可能な筆記具である。
【図１０】本発明の第四の実施例を示す、平板状の発光部が組み込まれ、スイッチを入れることによって軸筒表面の表示を際立たせることが可能な筆記具であり、スイッチを入れた状態である。
【図１１】本発明の第五の実施例を示す、クリップを持つ筆記具に発光部を設け、スイッチをクリップに組み込んだ筆記具である。
【図１２】本発明の第五の実施例を示す、クリップを持つ筆記具に発光部を設け、スイッチをクリップに組み込んだ筆記具であり、クリップを使用して、スイッチを接続した状態である。
【符号の説明】
【００３３】
１０１、２０１、３０１…電源
１０２、２０２、３０２…外部入力装置
１０３、２０３、３０３…処理装置
１０４、２０４、３０４…情報記憶部（メモリ）
１０５、２０５、３０５…表示部
２０６、３０６…表示部制御装置
３０７…ＲＦＩＤ
１、４０１、５０１、６０１、７０１、８０１…筆記用チップ
２、４０２、５０２、６０２、７０２、８０２…インキ貯蔵部
３、４０３、５０３、６０３、７０３、８０３…軸筒
４、４０４、５０４、６０４、７０４、８０４…平面状発光体
５、４０５、７０５、８０５…導線
６、４０６、７０６、８０６…昇圧回路及び処理装置
５０６、６０６…昇圧回路、処理装置、情報記憶部（メモリ）及び表示部制御装置
７、４０７、５０７、６０７、７０７、８０７…電源
８、４０８、５０８、６０８、７０８、８０８…スイッチ
５０９、６０９…信号受信部
【図１】
2005349825.tif 000003
【図２】
2005349825.tif 000004
【図３】
2005349825.tif 000005
【図４】
2005349825.tif 000006
【図５】
2005349825.tif 000007
【図６】
2005349825.tif 000008
【図７】
2005349825.tif 000009
【図８】
2005349825.tif 000010
【図９】
2005349825.tif 000011
【図１０】
2005349825.tif 000012
【図１１】
2005349825.tif 000013
【図１２】
2005349825.tif 000014